(57)【要約】【課題】表示部を有する電子機器の保護シート、その保護シートの製造方法、その電子機器の表示部に表示することが可能な画像を送信する画像送信システムおよびその保護シートをその電子機器に貼り付ける方法を提供する。【解決手段】本発明に係る保護シート１０は、電子機器１の表示部２を保護するための保護部１１と、滑り止め部１２と、画像部１３、接着部１４とを備えている。保護シート１０が電子機器１に貼り付けることにより、表示部２を傷から保護することができる。保護シート１０が貼り付けられた電子機器１は、電子機器１を片手で持ったとしても滑りにくい。ユーザは、複数の保護シート１０の中から画像部１３に印刷された好みの画像を選択することができ、電子機器１の外観をカスタマイズすることができる。【選択図】図１
2014228601.tif 000002
【特許請求の範囲】
【請求項１】
電子機器の表示部を保護するための保護部と、滑り止め部と、画像部、接着部とを備えた保護シートであって、
前記保護部が、第１面および第２面を有し、
前記画像部が、第１面および第２面を有し、
前記画像部の前記第１面の上には、前記滑り止め部が積層され、
前記画像部の前記第２面には、第１画像が印刷され、
前記保護部の前記第１面上でその周囲に、積層された前記滑り止め部と前記画像部が配置され、
前記保護部の前記第１面は、前記画像部の前記第２面と対向し、前記保護部の前記第１面と前記画像部の前記第２面とが前記接着部により接着され、
前記保護部の前記第２面が粘着性を有し、その粘着面が第１剥離部で覆われ、
前記第１画像を前記滑り止め部を介して認識することが可能な保護シート。
【請求項２】
前記電子機器が前記表示部の側に撮影部を備えている場合、前記撮影部に対応する前記保護シートの部分に、少なくとも前記滑り止め部、前記画像部および前記接着部が存在しない、請求項１に記載の保護シート。
【請求項３】
前記電子機器が表示部の側に操作ボタン部を備えている場合、前記操作ボタン部に対応する前記保護シートの部分に、前記保護部、前記滑り止め部、前記画像部および前記接着部が存在しない、請求項１または２に記載の保護シート。
【請求項４】
さらに、前記保護シートが、仮止めテープおよび少なくとも２つの剥離用タグを備え、
前記仮止めテープは、剥離可能な粘着性がある粘着面を有し、
前記粘着面の一部は、前記保護シートの滑り止め部が積層されている面と接着され、
前記粘着面の残りは、第２剥離部で覆われ、
前記仮止めテープが前記第１剥離部の第１辺を覆い、
前記少なくとも２つの剥離用タグが、前記第１剥離部の前記第１辺に近い領域で、かつ前記第１辺と略直交する前記第１剥離部の２つの辺をそれぞれ横切って前記第１剥離部と接続されている、請求項１〜３のうちの１つに記載の保護シート。
【請求項５】
さらに、前記保護シートが、仮止めテープおよび剥離用タグを備え、
前記仮止めテープは、剥離可能な粘着性がある粘着面を有し、
前記粘着面の一部は、前記保護シートの滑り止め部が積層されている面と接着され、
前記粘着面の残りは、第２剥離部で覆われ、
前記仮止めテープが前記第１剥離部の第１辺を覆い、
前記剥離用タグが、前記第１剥離部の前記第１辺に近い領域で、かつ前記第１辺の略真ん中で前記第１辺と直交する線上で前記第１剥離部と接続されている、請求項１〜３のうちの１つに記載の保護シート。
【請求項６】
前記画像部の前記第１面の上に前記滑り止め部が積層された後に、前記画像部の前記第２面に前記第１画像が印刷される、請求項１〜５のうちの１つに記載の保護シート。
【請求項７】
前記接着部が両面テープである、請求項１〜６のうちの１つに記載の保護シート。
【請求項８】
電子機器の表示部を保護する保護シートを製造する方法であって、
エラストマーを射出する工程と、
前記エラストマーとの接着を強くするためＰＥＴフィルムにアンカー処理をする工程と、
前記エラストマーと、前記アンカー処理されたＰＥＴフィルムを圧着する工程と、
前記エラストマーが接着されていない側の前記ＰＥＴフィルムの面に画像を印刷する工程と、
両面テープを、前記ＰＥＴフィルムの前記画像が印刷された側に接着し、前記エラストマー、前記ＰＥＴフィルムおよび前記両面テープの第１積層体を生成する工程と、
前記第１積層体から前記表示部に対応する部分を抜き取る工程と、
前記第１積層体と前記表示部を保護し、第１剥離部を伴った保護シートを前記両面テープを介して接着し、前記エラストマー、前記ＰＥＴフィルムおよび前記両面テープおよび保護シートの第２積層体を生成する工程と、
前記電子機器の大きさに合うように、前記第２積層体を切断することにより保護シートを切り出す工程とを包含する保護シートを製造する方法。
【請求項９】
剥離可能な粘着性がある粘着面の一部が第２剥離部で覆われた仮止めテープのうち、前記第２剥離部で覆われていない部分を、前記保護シートの前記エラストマーが配置されている面で、前記保護シートの１つの辺を跨ぐように前記保護シートに貼り付ける工程を包含する請求項８に記載の保護シートを製造する方法。
【請求項１０】
少なくとも２つの剥離用タグを、前記仮止めテープが配置されている付近で、かつ前記仮止めテープが配置されている前記第１剥離部の辺に直交する前記第１剥離部の２つの辺をそれぞれ横切って前記第１剥離部と接続する工程を包含する、請求項９に記載の保護シートを製造する方法。
【請求項１１】
前記仮止めテープが前記第２剥離部の第１辺を覆い、少なくとも１つの剥離用タグを、前記第１剥離部の前記第１辺に近い領域で、かつ前記第１辺の略真ん中で前記第１辺と直交する線上で前記第１剥離部と接続する工程を包含する、請求項９に記載の保護シートを製造する方法。
【請求項１２】
電子機器の表示部に表示することが可能な画像データを送信することができる画像送信システムであって、
ホストコンピュータが、前記電子機器の前記表示部に壁紙として表示することが可能な第２画像に対応するデータをユーザの要求に応じて、前記電子機器に送信し、
前記第２画像が、請求項１〜７のうちの１つに記載の保護シートとともに使用され、
前記第１画像および前記第２画像には、前記保護シートを前記電子機器に貼る際に目印となる印がそれぞれ含まれている画像送信システム。
【請求項１３】
請求項４に記載の保護シートを電子機器に貼り付ける方法であって、
前記電子機器の上で前記保護シートを貼るべき位置を決定する工程と、
前記仮止めテープを前記電子機器の少なくとも側面に貼る工程と、
前記２つの剥離用タグを引っ張ることにより前記第１剥離部を剥がす工程と、
前記保護部を少なくとも電子機器の表示部に貼り付けるために、前記第１剥離部が剥がれた部分を前記保護シートの上から押さえる工程と、
前記保護シートが電子機器に貼り付けられた後に、前記仮止めテープを前記電子機器および前記保護シートから剥がす工程とを包含する保護シートを電子機器に貼り付ける方法。
【請求項１４】
請求項５に記載の保護シートを電子機器に貼り付ける方法であって、
前記電子機器の上で前記保護シートを貼るべき位置を決定する工程と、
前記仮止めテープを前記電子機器の少なくとも側面に貼る工程と、
前記剥離用タグを引っ張りながら、前記第１剥離部が剥がれた部分を前記保護シートの上から押さえる工程と、
前記保護シートが電子機器に貼り付けられた後に、前記仮止めテープを前記電子機器および前記保護シートから剥がす工程とを包含する保護シートを電子機器に貼り付ける方法。
【発明の詳細な説明】
【技術分野】
【０００１】
本発明は、表示部を有する電子機器の保護シート、その保護シートの製造方法、その電子機器の表示部に表示することが可能な画像を送信する画像送信システムおよびその保護シートをその電子機器に貼り付ける方法に関する。
【背景技術】
【０００２】
スマートフォンの液晶部を保護する保護シートが知られている（特許文献１）。この保護シートでは、液晶部を保護する保護フィルムの上に印刷層が設けられ、保護フィルムと印刷層との段差を埋めるために樹脂が充填され、印刷層が設けられている方の面を平らにしている。
【０００３】
また、うつむいたときに、ポケットに入れてある携帯電話がポケットから滑り落ちることを防止するために携帯電話に貼り付けることができる滑り止めシールが知られている（特許文献２）。この滑り止めシールでは、ベースの表面に模様が描かれ、その上に滑り止めとなるエラストマーが覆っている。
【先行技術文献】
【特許文献】
【０００４】
【特許文献１】特開２０１２−２３０３０４号公報（図１、段落［００２５］）
【特許文献２】特開２００４−１３８８３３号公報（図１、段落［０００２］、段落［０００６］および段落［０００７］）
【発明の概要】
【発明が解決しようとする課題】
【０００５】
しかし、特許文献１に記載の保護シートが貼られたスマートフォンには滑り止めがないため、そのスマートフォンを手に持ったときに、うっかり滑り落とすという問題があった。さらに、スマートフォンより重量が重く片手に納まらない大きさを有するタブレット型コンピュータは、スマートフォンより持ちにくく滑りやすいとう問題があった。
【０００６】
また、特許文献２に記載の滑り止めシールでは、ベースの表面にデザインが印刷されており、ベースのその表面とエラストマーとを接着することが難しいという問題があった。
【０００７】
本発明は、上記問題に鑑みてなされたものであり、スマートフォンやタブレット型コンピュータのような電子機器の表示部を保護しつつ、デザイン性に富み滑りにくい保護シート、その製造方法、その電子機器の表示部に表示することが可能な画像を送信する画像送信システムおよびその保護シートをその電子機器に貼り付ける方法を提供することを目的とする。
【課題を解決するための手段】
【０００８】
本発明に係る保護シートは、電子機器の表示部を保護するための保護部と、滑り止め部と、画像部、接着部とを備え、前記保護部が、第１面および第２面を有し、前記画像部が、第１面および第２面を有し、前記画像部の前記第１面の上には、前記滑り止め部が積層され、前記画像部の前記第２面には、第１画像が印刷され、前記保護部の前記第１面上でその周囲に、積層された前記滑り止め部と前記画像部が配置され、前記保護部の前記第１面は、前記画像部の前記第２面と対向し、前記保護部の前記第１面と前記画像部の前記第２面とが前記接着部により接着され、前記保護部の前記第２面が粘着性を有し、その粘着面が第１剥離部で覆われ、前記第１画像を前記滑り止め部を介して認識することができる。
【０００９】
本発明のある実施形態では、前記電子機器が前記表示部の側に撮影部を備えている場合、前記撮影部に対応する前記保護シートの部分に、少なくとも前記滑り止め部、前記画像部および前記接着部が存在しなくてもよい。
【００１０】
本発明のある実施形態では、前記電子機器が前記表示部の側に操作ボタン部を備えている場合、前記操作ボタン部に対応する前記保護シートの部分に、前記保護部、前記滑り止め部、前記画像部および前記接着部が存在しなくてもよい。
【００１１】
本発明のある実施形態では、前記保護シートが、仮止めテープおよび少なくとも２つの剥離用タグを備え、前記仮止めテープは、剥離可能な粘着性がある粘着面を有し、前記粘着面の一部は、前記保護シートの滑り止め部が積層されている面と接着され、前記粘着面の残りは、第２剥離部で覆われ、前記仮止めテープが前記第１剥離部の第１辺を覆い、前記少なくとも２つの剥離用タグが、前記第１剥離部の前記第１辺に近い領域で、かつ前記第１辺と略直交する前記第１剥離部の２つの辺をそれぞれ横切って前記第１剥離部と接続されていてもよい。
【００１２】
本発明のある実施形態では、前記保護シートが、仮止めテープおよび剥離用タグを備え、前記仮止めテープは、剥離可能な粘着性がある粘着面を有し、前記粘着面の一部は、前記保護シートの滑り止め部が積層されている面と接着され、前記粘着面の残りは、第２剥離部で覆われ、前記仮止めテープが前記第１剥離部の第１辺を覆い、前記剥離用タグが、前記第１剥離部の前記第１辺に近い領域で、かつ前記第１辺の略真ん中で前記第１辺と直交する線上で前記第１剥離部と接続されていてもよい。
【００１３】
本発明のある実施形態では、前記画像部の前記第１面の上に前記滑り止め部が積層された後に、前記画像部の前記第２面に前記第１画像が印刷されてもよい。
【００１４】
本発明のある実施形態では、前記接着部が両面テープであってもよい。
【００１５】
本発明に係る電子機器の表示部を保護する保護シートを製造する方法は、エラストマーを射出する工程と、前記エラストマーとの接着を強くするためＰＥＴフィルムにアンカー処理をする工程と、前記エラストマーと、前記アンカー処理されたＰＥＴフィルムを圧着する工程と、前記エラストマーが接着されていない側の前記ＰＥＴフィルムの面に画像を印刷する工程と、両面テープを、前記ＰＥＴフィルムの前記画像が印刷された側に接着し、前記エラストマー、前記ＰＥＴフィルムおよび前記両面テープの第１積層体を生成する工程と、前記第１積層体から前記表示部に対応する部分を抜き取る工程と、前記第１積層体と前記表示部を保護し、第１剥離部を伴った保護シートを前記両面テープを介して接着し、前記エラストマー、前記ＰＥＴフィルムおよび前記両面テープおよび保護シートの第２積層体を生成する工程と、前記電子機器の大きさに合うように、前記第２積層体を切断することにより保護シートを切り出す工程とを包含している。前記保護部は粘着性がある粘着面を有し、その粘着面が前記第１剥離部で覆われている。
【００１６】
本発明のある実施形態では、剥離可能な粘着性がある粘着面の一部が第２剥離部で覆われた仮止めテープのうち、前記第２剥離部で覆われていない部分を、前記保護シートの前記エラストマーが配置されている面で、前記保護シートの１つの辺を跨ぐように前記保護シートに貼り付ける工程を包含していてもよい。
【００１７】
本発明のある実施形態では、少なくとも２つの剥離用タグを、前記仮止めテープが配置されている付近で、かつ前記仮止めテープが配置されている前記第１剥離部の辺に直交する前記第１剥離部の２つの辺をそれぞれ横切って前記第１剥離部と接続する工程を包含していてもよい。
【００１８】
本発明のある実施形態では、前記仮止めテープが前記第２剥離部の第１辺を覆い、少なくとも１つの剥離用タグを、前記第１剥離部の前記第１辺に近い領域で、かつ前記第１辺の略真ん中で前記第１辺と直交する線上で前記第１剥離部と接続する工程を包含していてもよい。
【００１９】
本発明に係るある画像送信システムは、電子機器の表示部に表示することが可能な画像データを送信することができ、ホストコンピュータが、前記電子機器の前記表示部に壁紙として表示することが可能な第２画像に対応するデータをユーザの要求に応じて、前記電子機器に送信し、前記第２画像が、前記保護シートとともに使用され、前記第１画像および前記第２画像には、前記保護シートを前記電子機器に貼る際に目印となる印がそれぞれ含まれている。
【００２０】
本発明に係る電子機器に貼り付ける方法は、前記電子機器の上で前記保護シートを貼るべき位置を決定する工程と、前記仮止めテープを前記電子機器の少なくとも側面に貼る工程と、前記２つの剥離用タグを引っ張ることにより前記第１剥離部を剥がす工程と、前記保護部を少なくとも電子機器の表示部に貼り付けるために、前記第１剥離部が剥がれた部分を前記保護シートの上から押さえる工程と、前記保護シートが電子機器に貼り付けられた後に、前記仮止めテープを前記電子機器および前記保護シートから剥がす工程とを包含している。
【００２１】
本発明に係る別の電子機器に貼り付ける方法は、前記電子機器の上で前記保護シートを貼るべき位置を決定する工程と、前記仮止めテープを前記電子機器の少なくとも側面に貼る工程と、前記剥離用タグを引っ張りながら、前記第１剥離部が剥がれた部分を前記保護シートの上から押さえる工程と、前記保護シートが電子機器に貼り付けられた後に、前記仮止めテープを前記電子機器および前記保護シートから剥がす工程とを包含している。
【発明の効果】
【００２２】
本発明に係る保護シートは、前記保護シートを前記電子機器に貼り付けることにより、前記表示部を傷から保護することができ、さらに、前記保護シートを前記電子機器に貼ったものは、前記保護シートが貼られていないものに比べて、前記電子機器を片手で持ったとしても滑りにくい。
【００２３】
また、ユーザは、複数の保護シートの中から前記画像部に印刷された好みの画像を選択することができ、前記電子機器の外観をカスタマイズすることができる。
【００２４】
ある実施形態では、前記電子機器が前記表示部の側に撮影部を備えている場合、前記撮影部に対応する前記保護シートの部分に、少なくとも前記滑り止め部、前記画像部および前記接着部が存在しないため、前記電子機器の撮影に支障を与えない。なお、前記撮影部を保護するために、前記撮影部が保護部により覆われていてもよい。
【００２５】
ある実施形態では、前記電子機器が前記表示部の側に操作ボタン部を備えている場合、前記操作ボタン部に対応する前記保護シートの部分に、前記保護部、前記滑り止め部、前記画像部および前記接着部が存在しないため、ユーザが前記操作ボタンを押すことにより、前記保護シートにダメージを与えることがない。
【００２６】
ある実施形態では、前記保護シートが、仮止めテープを備えているため、ユーザは前記保護シートの位置決めが容易に行うことができる。
【００２７】
ある実施形態では、前記保護シートが、前記第１剥離部の外側に、少なくとも２つの剥離用タグを備えているため、ユーザは剥離用タグを引っ張ることにより、容易に前記第１剥離部を剥離することができる。
【００２８】
ある実施形態では、前記保護シートが、前記仮止めテープおよび前記第１剥離部の前記第１辺に近い領域で、かつ前記第１辺の略真ん中で前記第１辺と直交する線上で前記第１剥離部と接続されている剥離用タグを備えているため、ユーザは剥離用タグを引っ張りながら、前記保護シートを押さえることにより、前記保護シートを前記電子機器に貼り付けることができる。
【００２９】
ある実施形態では、前記画像部の前記第１面の上に前記滑り止め部が積層された後に、前記画像部の前記第２面に前記第１画像が印刷されている。つまり、前記画像部が前記滑り止め部の熱などで変形したとしても、その変形後に印刷がなされるため、印刷に歪みが生じることがない。
【００３０】
ある実施形態では、前記接着部が接着剤を塗布することにより生成することも可能であるが、安価な製造ラインでは、接着剤を一定の厚さで塗布することは難しい。しかし、前記接着部が両面テープであれば、管理者はその厚みを容易に管理することができる。
【００３１】
本発明に係る電子機器の表示部を保護する保護シートを製造する方法で製造された保護シートを前記電子機器に貼り付けることにより、前記表示部を傷から保護することができ、さらに、前記保護シートを前記電子機器に貼ったものは、前記保護シートが貼られていないものに比べて、前記電子機器を片手で持ったとしても滑りにくい。
【００３２】
また、ユーザは、製造された複数の保護シートの中から前記画像部に印刷された好みの画像を選択することができ、前記電子機器の外観をカスタマイズすることができる。
【００３３】
ある実施形態では、前記エラストマーと、前記アンカー処理されたＰＥＴフィルムを圧着した後に、前記ＰＥＴフィルムに画像を印刷している。つまり、前記ＰＥＴフィルムが前記エラストマーの熱などで変形したとしても、その変形後に印刷がなされるため、印刷に歪みが生じることがない。また、前記エラストマーの熱によるインクの退色がない。
【００３４】
ある実施形態では、剥離可能な粘着性がある粘着面の一部が第２剥離部で覆われた仮止めテープのうち、前記第２剥離部で覆われていない部分を、前記保護シートの前記エラストマーが配置されている面、かつ前記保護シートの１つの辺を跨ぐように前記保護シートに貼り付ける工程を包含している保護シートを製造する方法で製造された保護シートによって、ユーザは前記保護シートの位置決めを容易に行うことができる。
【００３５】
ある実施形態では、少なくとも２つの剥離用タグを、前記仮止めテープが配置されている付近で、かつ前記仮止めテープが配置されている前記第１剥離部の辺に直交する前記第１剥離部の２つの辺をそれぞれ横切って前記第１剥離部と接続する工程を包含している保護シートを製造する方法で製造された保護シートによって、ユーザは剥離用タグを引っ張ることにより、容易に前記第１剥離部を剥離することができる。
【００３６】
ある実施形態では、剥離可能な粘着性がある粘着面の一部が第２剥離部で覆われた仮止めテープのうち、前記第２剥離部で覆われていない部分を、前記保護シートの前記エラストマーが配置されている面、かつ前記保護シートの１つの辺を跨ぐように前記保護シートに貼り付ける工程と、少なくとも１つの剥離用タグを、前記第１剥離部の前記第１辺に近い領域で、かつ前記第１辺の略真ん中で前記第１辺と直交する線上で前記第１剥離部と接続する工程とを包含している保護シートを製造する方法で製造された保護シートによって、ユーザは剥離用タグを引っ張りながら、前記保護シートを押さえることにより、前記保護シートを前記電子機器に貼り付けることができる。
【００３７】
本発明に係るある画像送信システムでは、前記第１画像および前記第２画像には、前記保護シートを前記電子機器に貼る際に目印となる印がそれぞれ含まれているため、容易に前記保護シートと前記電子機器の位置を合わせることができる。
【００３８】
本発明に係るある電子機器に貼り付ける方法は、前記電子機器の上で前記保護シートを貼るべき位置を決定する工程と、前記仮止めテープを前記電子機器の少なくとも側面に貼る工程と、前記２つの剥離用タグを引っ張ることにより前記第１剥離部を剥がす工程と、前記保護部を少なくとも電子機器の表示部に貼り付けるために、前記第１剥離部が剥がれた部分を前記保護シートの上から押さえる工程と、前記保護シートが電子機器に貼り付けられた後に、前記仮止めテープを前記電子機器および前記保護シートから剥がす工程とを包含している。このため、ユーザは剥離用タグを引っ張ることにより、容易に前記第１剥離部を剥離することができる。
【００３９】
本発明に係る別の電子機器に貼り付ける方法は、前記電子機器の上で前記保護シートを貼るべき位置を決定する工程と、前記仮止めテープを前記電子機器の少なくとも側面に貼る工程と、前記剥離用タグを引っ張りながら、前記第１剥離部が剥がれた部分を前記保護シートの上から押さえる工程と、前記保護シートが電子機器に貼り付けられた後に、前記仮止めテープを前記電子機器および前記保護シートから剥がす工程とを包含している。このため、ユーザは剥離用タグを引っ張りながら、前記保護シートを押さえることができ、前記保護シートを前記電子機器に貼り付けることができる。
【図面の簡単な説明】
【００４０】
【図１】本発明の第１実施形態における保護シートが電子機器に貼られた状態を示す平面図である。
【図２】図１に示す保護シートを破線で切断し、その切断部分を示す断面図である。
【図３】本発明の第１実施形態における保護シートの製造方法を説明するための図である。
【図４】（Ａ）〜（Ｆ）は、図３に示すＡ〜Ｆ地点における保護シートの切断部分を示す断面図である。
【図５】（Ａ）は、本発明の第２実施形態における保護シートを示す平面図であり、（Ｂ）は、その保護シートの側面図であり、（Ｃ）は、その保護シートの底面図である。
【図６】（Ａ）〜（Ｄ）は、第２実施形態における保護シートを電子機器に貼る方法の一例を示す図である。
【図７】本発明の第３実施形態における保護シートを示す底面図である。
【図８】第３実施形態における保護シートを電子機器に貼る方法の一例を示す図である。
【図９】本発明の一実施形態における画像送信システムの概略を示す図である。
【図１０】ユーザ側の一作業手順を示すフロー図である。
【図１１】目印の一例を示す図である。
【図１２】管理者側の一作業手順を示すフロー図である。
【発明を実施するための形態】
【００４１】
以下に、図面を参照しながら本発明の第１実施形態における保護シートについて説明する。
【００４２】
図１は、本発明の第１実施形態における保護シートが電子機器に貼られた状態を示す図である。図１に示す電子機器１は、画像を表示する表示部２と、電子機器１を操作するための操作ボタン部３と、電子機器１の外部を撮影するための撮影部４とを備えている。また、表示部２の周りに位置し電子機器１の上部には、保護シート１０が貼られている。なお、保護シート１０は、操作ボタン部３の上を覆っていないことが好ましい。操作ボタン部３の上を保護シートが覆っている場合、ユーザが操作ボタン３を押すことにより、保護シート１０の中の伸縮性に富まない材料に応力が加えられ、保護シート１０にダメージを与える可能性があるからである。
【００４３】
図２は、図１に示す保護シート１０を破線で切断し、その切断部分を示す断面図である。保護シート１０は、表示部２を保護する保護部１１と、滑り止め部１２と、画像が描かれている画像部１３と、画像部１３と保護部１１を接着する接着部１４と、剥離部１５とを備えている。
【００４４】
保護部１１は、保護シート１０が電子機器１に貼り付けられた場合、電子機器１の表示部２を傷やほこりから守ることができる。このため、保護部１１における、滑り止め部１２および画像部１３が積層される側にハードコート処理がなされていることが好ましい。また、ユーザは、表示部２に表示される画像を保護部１１を介して見るため、保護部１１は無色透明であることが好ましい。また、電子機器１を操作しているユーザだけに表示部２に表示される画像が認識できるように保護部１１の視野角が調整されていてもよい。また、保護部１１における、滑り止め部１２および画像部１３が積層されない側は粘着性を有している。微粘着コートすることにより、保護部１１に粘着性を持たせてもよい。保護部１１の粘着性を有する面は、剥離部１５で覆われている。保護シート１０にゴミが付着することを防止するためである。
【００４５】
滑り止め部１２は、保護部１１の粘着性を有する面とは反対の面の上で、保護部１１の外周に沿って配置され、中抜きされた形状をしている。ユーザは、中抜きされた部分を介して、表示部２に表示される画像を確認することができる。また、滑り止め部１２は、一般的なポリエチレンテレフタレート（以下、ＰＥＴという）フィルムより、摩擦係数が大きく、弾力性を有する。滑り止め部１２の材質は、エラストマーであってもよい。この場合、エラストマーは熱可塑性のものが使用される。滑り止め部１２は、無色透明であることが好ましい。後述する画像部１３の画像を認識できるようにするためである。
【００４６】
また、滑り止め部１２の厚さは１２５μｍの±２０％である１００μｍ〜１５０μｍであってもよい。
【００４７】
画像部１３は、第１面と第２面とを有し、第１面は、滑り止め部との接着が容易になるようにアンカー処理されている。アンカー処理としては、コロナ処理がなされた後に、プライマー処理がなされてもよい。
【００４８】
また、第２面には、画像が印刷されている。ユーザが第１面から画像部１３を見た場合、画像が正常に認識できるように、この印刷が行われる。このため、印刷が行われる前の画像部１３は、無色透明であることが好ましい。また、画像部１３の材質は、ＰＥＴであってもよい。
【００４９】
画像部１３の材質がＰＥＴである場合、画像部１３はＰＥＴフィルムから加工される。一般に流通しているＰＥＴフィルムの厚さとして、１４、３８、７５、１００μｍのものがある。製造方法については後述するが、画像部１３の厚さを１４μｍとした場合、画像部１３の上に滑り止め部１２を乗せて搬送している間に、画像部１３が裂けてしまうことがある。また、画像部１３の厚さを３８μｍとした場合、画像部１３および滑り止め部１２について中抜きする工程で画像部１３および滑り止め部１２の形状が僅かに変化し、保護シート１０の精度がでないという問題が生じる場合がある。また、画像部１３の厚さを１００μｍとした場合、保護シート１０の剛性があまりにも高くなり、保護シート１０を製造することが難しくなる。このため、画像部１３の厚さとしては、７５μｍの±２０％である６０μｍ〜９０μｍであることが好ましい。
【００５０】
接着部１４は、画像部１３と保護部１１とを接着する。接着部１４は、画像部１３の下地となるため、白色または半透明であることが好ましい。画像部１３を透過した光が接着部１４で反射し、接着部１４が白以外の色であると、画像部１３の色見が狂うからである。
【００５１】
また、接着部１４の厚さは、５０μｍの±２０％である４０μｍ〜６０μｍであってもよい。接着部１４の厚さが１５０μｍ以上である場合、接着部１４の側面にゴミが溜まりやすくなったり、場合によってはその側面から接着剤がしみ出すことがあり好ましくない。
【００５２】
剥離部１５は、第１面と第２面を有し、第１面には、それが粘着性を有する保護部１１と剥がれやすいように剥離処理がなされている。また、剥離部１５の第２面に剥離処理がなされていてもよい。保護シート１０を製造する過程で、保護シート１０を重ねて一時保管する場合、保護シート１０の一面の一部が滑り止め部１２となり、その滑り止め部１２と剥離部１５の第２面とが重なる。剥離部１５の第２面に何らの処理もなされていないとすると、保護シート１０同士がひっつく恐れがあるからである。
【００５３】
剥離部１５としては、サンドブラストなどによりマット加工または梨地加工を施したＰＥＴフィルムであってもよく、シリコーン離剥加工が施されたプラスチィックフィルムまたは紙類でもあってもよい。
【００５４】
以下に、図面を参照しながら本発明の第１実施形態における保護シートの製造方法について説明する。
【００５５】
図３は、本発明の第１実施形態における保護シートの製造方法を説明するための図である。また、図４の（Ａ）〜（Ｆ）は、図３に示すＡ〜Ｆ地点における保護シートの、流れ方向が法線となる面で切断した切断部分を示す断面図である。
【００５６】
射出成型機２０に滑り止め部となる原料を投入し、約１８０〜２４０℃で加熱し、その原料を融かし、金口２１から一定の厚さのものを射出する。
【００５７】
その後、Ａ地点において、射出されたもの１２ａと、アンカー処理がなされたシート１３ａとが第１ローラ３０、３１で圧着される。第１ローラ３０、３１の少なくとも一方は、射出されたもの１２ａから熱を奪い、その形状を定常状態にする。第１ローラを冷却するために、チラーが用いられてもよい。図４（Ａ）に示すように滑り止め部１２とシート１３ａが接着される。
【００５８】
Ｂ地点において、シート１３ａの、滑り止め部１２が接着している第１面とは反対の第２面に画像が印刷機４０によって印刷され、画像部１３が形成される。シート１３ａの印刷される面にインクが定着しやすいように、コロナ放電処理やプライマー処理などの前処理が行われていてもよい。この印刷は、ユーザが滑り止め部１２から画像部１３を見た場合に、画像が正常に認識できるように行われる。また、画像には、模様、文字、記号、写真およびイラストなどの少なくとも１つが含まれてもよい。
【００５９】
Ｃ地点において、画像部１３の第２面に接着部１４が第２ローラ５０、５１で圧着される。接着部１４が両面テープの場合、接着部１４の、画像部１３と接着される第１面側を覆う剥離紙（図示せず）は、第２ローラ５０、５１の前で剥がされる。少なくとも第２ローラ５１がシリコーンまたはテフロン（登録商標）でコーティングされている場合には、第１面とは反対側の第２面を覆う剥離紙（図示せず）が、第２ローラ５０、５１の前で剥がされてもよい。
【００６０】
Ｄ地点において、滑り止め部１２、画像部１３、および接着部１４の積層物の中抜きがダイカッタなどの第１カッタ６０によって行われる。第１カッタ６０は、アンビルローラとダイローラとを備えたロータリー型であってもよいし、平面型であってもよいが、連続して保護シートを製造する場合には、第１カッタ６０は、ロータリー型であることが好ましい。
【００６１】
また、第１カッタ６０は、電子機器１が表示部２の側に撮影部４を備えている場合、撮影部４に対応する穴を滑り止め部１２、画像部１３、および接着部１４の積層物に空けてもよい。この場合、撮影部４に対応する保護シート１０の部分に、滑り止め部１２、画像部１３および接着部１４は存在しない。
【００６２】
Ｅ地点において、中抜きされた積層物と剥離部１５が貼られた保護部１１とが第３ローラ７０、７１によって圧着される。接着部１４の第２面を覆う剥離紙（図示せず）は、第３ローラ７０、７１が中抜きされた積層物と保護部１１とを圧着する前には剥がされている。なお、図３では、保護部１１を覆う剥離部１５と接着部１４の第１面および第２面を覆う剥離紙とは省略され描かれていない。
【００６３】
Ｆ地点において、電子機器１の外形に合うように、中抜きされた積層物と保護部１１との積層物の外辺部分の切り落としが、ダイカッタなどの第２カッタ８０によって行われる。第２カッタ８０は、アンビルローラとダイローラとを備えたロータリー型であってもよいし、平面型であってもよいが、連続して保護シートを製造する場合には、第２カッタ８０は、ロータリー型であることが好ましい。なお、電子機器１の側面を保護シートで覆うことが可能となるように、その積層物の外辺部分が切り落とされてもよい。
【００６４】
また、第２カッタ８０は、電子機器１が表示部２の側に撮影部４を備えている場合、撮影部４に対応する穴を中抜きされた積層物を貫通し剥離部１５が貼られた保護部１１に空けてもよい。この場合、撮影部４に対応する保護シート１０の部分に、滑り止め部１２、画像部１３、接着部１４、保護部１１および剥離部１５は存在しない。なお、撮影部４に対応する穴は、第２カッタ８０だけで空けられてもよいし、第１カッタ６０および第２カッタ８０が共同して空けてもよい。また、撮影部４に対応する穴が保護部１１に空けられない場合、撮影部４は保護部１１により保護される。
【００６５】
また、第２カッタ８０は、電子機器１が表示部２の側に操作ボタン部３を備えている場合、操作ボタン部３に対応する穴を中抜きされた積層物および剥離部１５が貼られた保護部１１に空けてもよい。この場合、操作ボタン部３に対応する保護シート１０の部分に、滑り止め部１２、画像部１３、接着部１４、保護部１１および剥離部１５は存在しない。なお、操作ボタン部３に対応する穴は、第２カッタ８０だけで空けられてもよいし、第１カッタ６０および第２カッタ８０が共同して空けてもよい。
【００６６】
保護シート１０を一時保管するために、保護シート１０を重ね合わせてもよい。この場合、滑り止め部１２と剥離部１５とが重なる方の剥離部１５の面についても剥離処理がなされていることが好ましい。保護シート１０同士がひっつくことが抑えられ作業効率が高まるからである。
【００６７】
以下に、図面を参照しながら本発明の第２実施形態における保護シートについて説明する。
【００６８】
図５（Ａ）は、本発明の第２実施形態における保護シートを示す平面図であり、図５（Ｂ）は、その保護シートの側面図であり、図５（Ｃ）は、その保護シートの底面図である。
【００６９】
図５に示す保護シート１１０は、上述した保護シート１０に仮止めテープ１２０および少なくとも２つの剥離用タグ１３０が取り付けられたものである。このため、ユーザは、保護シート１１０を、保護シート１０に比べ容易に電子機器に取り付けることができる。
【００７０】
仮止めテープ１２０の一方の面は剥離可能な粘着性を有し、その粘着面の一部は保護シート１１０の滑り止め部１２が積層されている面と接着し、その粘着面の残りは、剥離紙１２１で覆われ、仮止めテープ１２０が剥離部１５の第１辺１１１を覆っている。
【００７１】
２つの剥離用タグ１３０が、剥離部１５の第１辺１１１に近い領域で、かつ第１辺１１１と略直交する剥離部１５の２つの辺１１２、１１３をそれぞれ横切って剥離部１５と接続されている。
【００７２】
図６の（Ａ）〜（Ｄ）は、保護シート１１０を電子機器１０１に貼る方法の一例を示す図である。
【００７３】
図６（Ａ）に示すように、ユーザは保護シート１１０が電子機器１０１の所定の位置にくるように位置を合わせる。例えば、電子機器１０１が操作ボタン部および撮影部を備えている場合には、それらに合うように、ユーザは保護シート１１０を電子機器１０１に取り付けてもよい。その後、ユーザは仮止めテープ１２０から剥離紙１２１を剥がす。
【００７４】
図６（Ｂ）に示すように、ユーザは仮止めテープ１２０を電子機器１０１の少なくとも側面に貼りつけ、仮止めを行う。仮止めテープ１２０が長い場合には、ユーザは電子機器１０１の側面を介してその底面まで、仮止めテープ１２０を貼り付けてもよい。
【００７５】
図６（Ｃ）および（Ｄ）に示すように、ユーザは、剥離用タグ１３０を手前に引くことにより、剥離部１５を剥離し、剥離部１５が剥離した部分を保護シート１１０の上から押さえ、保護部１１と電子機器１０１とを密着させる。その後、保護部１１が電子機器１０１と密着した後、ユーザは仮止めテープ１２０を電子機器１０１および保護シート１１０から取り外す。
【００７６】
このように、保護シート１１０は、仮止めテープ１２０および少なくとも２つの剥離用タグ１３０を有するため、ユーザは容易に保護シートを電子機器に取り付けることができる。
【００７７】
以下に、図面を参照しながら本発明の第３実施形態における保護シートについて説明する。
【００７８】
図７は、本発明の第３実施形態における保護シートを示す底面図である。
【００７９】
図７に示す保護シート２１０は、上述した保護シート１０に仮止めテープ１２０および少なくとも１つ剥離用タグ２３０が取り付けられたものである。このため、ユーザは、保護シート２１０を、保護シート１０に比べ容易に電子機器に取り付けることができる。仮止めテープ１２０は、第２実施形態の仮止めテープと同じものであり、仮止めテープ１２０が剥離部１５の第１辺２１１を覆っている。
【００８０】
剥離用タグ２３０は、剥離部１５の第１辺２１１に近い領域で、かつ第１辺２１１の略真ん中で第１辺２１１と直交する破線上２１２で剥離部１５と接続されている。
【００８１】
保護シート２１０を電子機器１０１に仮止めを行う工程は、第２実施形態と同じである。その後、図８に示すように、ユーザは、剥離用タグ２３０を手前に引くことにより、剥離部１５を剥離し、剥離した部分を保護シート２１０の上から押さえ、保護部１１と電子機器１０１とを密着させる。保護部１１が電子機器１０１と密着した後、ユーザは仮止めテープ１２０を電子機器１０１および保護シート２１０から取り外す。
【００８２】
保護シート２１０では、一方の手で剥離用タグ２３０を引き寄せ、他方の手で保護シート２１０を電子機器１０１に押しつけることができるため、両手で剥離用タグ１３０を引かなければならない保護シート１１０に比べ作業がしやすい。
【００８３】
以下に、電子機器の表示部に表示される背景画像（以下、壁紙という）と画像部に印刷される画像とが一体となって１つの画像とするための本発明の一実施形態における画像送信システムについて説明する。
【００８４】
図９は本発明の一実施形態における画像送信システムの概略を示す図であり、図１０はユーザ側の作業手順を示すフロー図である。
【００８５】
図９に示すホストコンピュータ３００がネットワーク４００を介して電子機器１、１０１と接続されている。
【００８６】
ユーザは、本発明の保護シート１０、１１０、２１０の少なくとも１つを購入し（Ｓ１）、その保護シートのパッケージまたは同封物に記載のＵＲＬ（Uniform Resource Locator）をユーザがその保護シートを貼ろうとしている電子機器に入力する（Ｓ２）。ＵＲＬは、http://○○○というような記載形式に限られず、ＱＲコード（登録商標）のような２次元バーコードのような記載形式であってもよい。
【００８７】
ユーザは、電子機器１、１０１からホストコンピュータ３００に画像データを要求し、ホストコンピュータ３００から画像データをタウンロードする（Ｓ３）。なお、入力したＵＲＬによって示されるホームページに複数の画像データが存在している場合、ユーザがその中の１つを選択できるように画像送信システムが構築されていてもよい。
【００８８】
ユーザは、ダウンロードした画像データを電子機器１の表示部２に壁紙として表示させる（Ｓ４）。
【００８９】
その後、ユーザは、壁紙の目印と、保護シートの目印が一致するように、本発明の保護シートを電子機器１に貼り付ける。
【００９０】
図１１は、目印の一例を示す図である。図１１に示す目印では、電子機器１の表示部２の角部に線分９１が表示され、額縁状の画像部の一片に線分９２が印刷され、その一片と直交する辺に線分９３が印刷されている。
【００９１】
その線分９１の一端と画像部に印刷された線分９２とを合わせ、かつその線分９１の他端と画像部に印刷された線分９３とを合わせることにより、ユーザは微妙な位置合わせを行うことができる。
【００９２】
例えば、表示部２に表示された画像と画像部に印刷された画像が蛸唐草模様のように似たような模様が繰り返されているものの場合、どこに保護シートを合わせればよいのかが一見しただけでは解りづらい。しかし、本発明の画像送信システムを用いることにより、ユーザは表示部２に表示された壁紙の目印に画像部に印刷された保護シートの目印を合わせることにより容易に位置を決めることができる。
【００９３】
目印は、少なくとも１つの角に配置され、角における表示部２の縁９４、９５を跨いで、表示部２に表示された線と画像部に印刷された線が連続となるように付されている。また、目印は、例えば一筆書きのサインであってもよいし、標章の少なくとも一部であってもよい。
【００９４】
本実施形態では、線分９１が１本であったが、複数の線分とそれらに対応する画像部に印刷された線分とが目印となってもよい。また、本実施形態では、線分９１が１本の線分であったが、線分９１が途中で切れており、２本以上の線分であってもよい。
【００９５】
図１２は、管理者側の作業手順を示すフロー図である。
【００９６】
管理者は、目印を有する壁紙用画像データおよび画像部用画像データを作成する（Ｓ１１）。管理者は、画像部用画像データに基づいて、画像部に印刷を行い、本発明の保護シートを製造販売する。また、管理者は、目印を有する壁紙用画像データをホストコンピュータ３００にアップロードする（Ｓ１２）。
【００９７】
ホストコンピュータ３００は、電子機器１からの要求に応じて画像データを電子機器に送信する（Ｓ１３）。
【００９８】
これにより、ユーザは保護シートのデザインに応じた壁紙をタウンロードでき、さらに、その壁紙を保護シートの位置決めにも役立てることができる。
【００９９】
なお、上述したユーザには、本発明に係る保護シートを販売している店の店員や、スマートフォンなどの電子機器に保護シールを貼ることを生業にしている者も含まれる。
【符号の説明】
【０１００】
１、１０１              電子機器
２                      表示部
３                      操作ボタン部
４                      撮影部
１０、１１０、２１０    保護シート
１１                    保護部
１２                    滑り止め部
１３                    画像部
１４                    接着部
１５                    剥離部
２０                    射出成型機
３０、３１              第１ローラ
４０                    印刷機
５０、５１              第２ローラ
６０                    第１カッタ
７０、７１              第３ローラ
８０                    第２カッタ
【図１】
2014228601.tif 000003
【図２】
2014228601.tif 000004
【図３】
2014228601.tif 000005
【図４】
2014228601.tif 000006
【図５】
2014228601.tif 000007
【図６】
2014228601.tif 000008
【図７】
2014228601.tif 000009
【図８】
2014228601.tif 000010
【図９】
2014228601.tif 000011
【図１０】
2014228601.tif 000012
【図１１】
2014228601.tif 000013
【図１２】
2014228601.tif 000014